(57)【要約】【課題】カビ臭等の悪臭による不快感の解消及び人の健康の増進が適切かつ安価に達成でき、省エネルギー化の促進も図れる建物の冷房システム及び建物の冷暖房システムを提供する。【解決手段】建物の室内空気を循環送風機２により単独で或いは外気と混合して循環させながら冷媒の気化熱により直接又は間接的に冷却器５ｃで冷却する冷却システム５を備える建物の冷房システムであって、冷却器５ｃの上流で室内空気を接触通過させて吸湿吸臭する再生可能な調湿消臭材３１ｄを保持し、かつ、調湿消臭材３１ｄに熱風を接触通過させてその再生を行う調湿消臭機３と、室内空気が冷却器５ｃ表面で結露することを防止するために、調湿消臭機３の運転条件、冷却システム５の運転条件及び循環送風機２の運転条件を制御する制御手段とを備える。【選択図】  図２
2004184011.tif 000002
【特許請求の範囲】
【請求項１】
建物の室内空気を循環送風機により単独で或いは外気と混合して循環させながら冷媒の気化熱により直接又は間接的に冷却器で冷却する冷却システムを備える建物の冷房システムであって、
前記冷却器の上流で室内空気を接触通過させて吸湿又は吸湿吸臭する再生可能な除湿材又は調湿消臭材を保持し、かつ、該除湿材又は該調湿消臭材に熱風を接触通過させてその再生を行う除湿機又は調湿消臭機と、
室内空気が冷却器表面で結露することを防止するために、前記除湿機又は前記調湿消臭機の運転条件、前記冷却システムの運転条件、前記循環送風機の運転条件を制御する制御手段とを備えることを特徴とする建物の冷房システム。
【請求項２】
室内空気の温度Ｔｘを検出する温度検出センサーと、室内空気の湿度Ｈｘを検出する湿度検出センサーと、冷却器表面の温度Ｔｉを検出する表面温度検出センサーと、室内空気の目標温度Ｔｙ及び目標温度Ｔｙにおける適正湿度Ｈｙを設定する温度設定器とを備えるとともに、
前記制御手段による制御は、表面温度検出センサーで冷却器表面の温度Ｔｉを検出するとともに前記温度検出センサーで検出した室内空気の温度Ｔｘ及び前記湿度検出センサーで検出した室内空気の湿度Ｈｘに基づいて室内空気の露点温度Ｔｄを求め、Ｔｉ＞Ｔｄの条件を保持しつつ、室内空気の温度Ｔｘと湿度Ｈｘとを、前記温度設定器の目標温度Ｔｙと目標温度Ｔｙにおける適正湿度Ｈｙとになるように、行われることを特徴とする請求項１に記載の建物の冷房システム。
【請求項３】
前記制御手段による制御は、
（ａ）Ｔｘ＞Ｔｙ，Ｈｘ＞Ｈｙのときは、前記冷却システムにおける冷媒を圧縮するためのコンプレッサーを連続運転とし、かつ、前記除湿機又は前記調湿消臭機及び前記循環送風機を高速運転とし、
（ｂ）Ｔｘ＞Ｔｙ，Ｈｘ＜Ｈｙのときは、前記コンプレッサーを連続運転とし、かつ、前記除湿機又は前記調湿消臭機を低速運転とし、かつ、前記循環送風機を高速運転とし、
（ｃ）Ｔｘ＝Ｔｙ，Ｈｘ＝Ｈｙのときは、前記コンプレッサーを断続運転又は回転数制御とし、かつ、前記除湿機又は前記調湿消臭機及び前記循環送風機を中速運転又は断続運転とし、
（ｄ）Ｔｘ＜Ｔｙ，Ｈｘ＞Ｈｙのときは、前記コンプレッサーを運転停止とし、かつ、前記除湿機又は前記調湿消臭機及び前記循環送風機を高速運転とし、
（ｅ）Ｔｘ＜Ｔｙ，Ｈｘ＜Ｈｙのときは、前記コンプレッサーを運転停止とし、かつ、前記除湿機又は前記調湿消臭機及び前記循環送風機を低速運転又は停止とすることを特徴とする請求項２に記載の建物の冷房システム。
【請求項４】
前記制御手段による制御は、
Ｔｉ＜Ｔｄの条件では、前記コンプレッサーを運転停止とし、
Ｔｉ＞Ｔｄの条件で、かつ、前記（ｃ）のときでは、前記コンプレッサーを断続運転又は回転数制御とすることを特徴とする請求項３に記載の建物の冷房システム。
【請求項５】
前記除湿機又は前記調湿消臭機は、
前記除湿材又は前記調湿消臭材が収容される収容室が周方向に沿って複数設けられた回転式容器を備え、
この回転式容器は、それぞれの収容室が、吸湿又は吸湿吸臭すべき室内側と、前記除湿材又は前記調湿消臭材の再生を行うべき再生側とに順次配置されるように回転する回転式の除湿機又は調湿消臭機であることを特徴とする請求項１から請求項４のいずれか一項に記載の建物の冷房システム。
【請求項６】
前記除湿材又は前記調湿消臭材として粉状物又は粒状物を用いる場合において、
前記除湿機又は前記調湿消臭機は、
吸湿又は吸湿吸臭すべき室内側と前記除湿材又は前記調湿消臭材の再生を行うべき再生側とを連結する連結路と、この連結路を介して前記除湿材又は前記調湿消臭材を室内側から再生側及び再生側から室内側に移送する移送手段とを備える流動式の除湿機又は調湿消臭機であることを特徴とする請求項１から請求項４のいずれか一項に記載の建物の冷房システム。
【請求項７】
請求項１から請求項６のいずれか一項に記載の建物の冷房システムと、室内空気が接触通過する加熱器を有する加熱システムとを備えた建物の冷暖房システムであって、
前記除湿機又は前記調湿消臭機の下流に前記加熱器を設置し、この加熱器の下流に前記冷却器を設置してあることを特徴とする建物の冷暖房システム。
【請求項８】
請求項１から請求項６のいずれか一項に記載の建物の冷房システムと、暖房システムとを備えた建物の冷暖房システムであって、
前記冷房システム中の冷却器は、熱交換器によって構成されており、暖房時には、この熱交換器が前記暖房システム中の加熱器として作用することを特徴とする建物の冷暖房システム。
【発明の詳細な説明】
【０００１】
【発明の属する技術分野】
本発明は、建物に用いられる建物の冷暖房システムに関する。
【０００２】
【背景の技術】
従来の建物の冷暖房システムとしては、例えば建物の室内空気を循環送風機により循環させながら冷却器内の冷媒の気化熱を直接又は間接的に利用することにより冷却する冷却システムを備える建物の冷房システムと、室内空気が接触通過する加熱器を有する加熱システムとからなるものが開示されている（例えば、非特許文献１参照）。
【０００３】
この建物の冷暖房システムは、室内空気を冷房又は暖房する機能と、室内空気を除湿する機能とを備えている。
【０００４】
【非特許文献１】
財団法人日本建築技術者指導センター編，「建築技術の基礎知識」，霞ヶ関出版，平成１１年２月１日，ｐ．６７
【０００５】
【発明が解決しようとする課題】
しかしながら、このような建物の冷暖房システムでは、冷却器に結露を生じさせることにより室内空気の除湿を行うので、結露した冷却器の表面に付着したほこり等が温床となりカビや雑菌が繁殖して、それらの胞子や臭い成分が冷暖房エアーに随伴されて室内に送出され、カビ臭等の悪臭が発生して不快になってしまう。加えて、ウィルス等の微生物が繁殖することにより、人の健康に対して悪影響を及ぼす場合もある。
【０００６】
また、このような建物の冷暖房システムにおいては、除湿冷房時又は除湿暖房時には、室内空気の除湿をするため冷却器表面の温度を室内空気の露点温度以下まで冷却することとなっている。
【０００７】
ところが、このような冷却は、室内空気を冷房又は暖房するという本来の目的を超えるエネルギーを消費しているのみならず、さらにいったん冷却した室内空気を適温になるまで加熱するという無駄なエネルギーをも消費させるものであり、省エネルギー化を促進しようとする観点からみて好ましいものとはいえない。
【０００８】
そこで、本発明の課題は、カビ臭等の悪臭による不快感の解消及び人の健康の増進が適切かつ安価に達成でき、省エネルギー化の促進も図ることができる建物の冷暖房システムを提供することにある。
【０００９】
【課題を解決するための手段】
上記課題を解決するため、請求項１に記載の発明は、例えば図２に示すように、建物の室内空気を循環送風機２により単独で或いは外気と混合して循環させながら冷却器５ｃで冷媒の気化熱を直接又は間接的に利用することにより冷却する冷却システム５を備える建物の冷房システムであって、冷却器５ｃの上流で室内空気を接触通過させて吸湿又は吸湿吸臭する再生可能な除湿材又は調湿消臭材３１ｄを保持し、かつ、除湿材又は調湿消臭材３１ｄに熱風を接触通過させてその再生を行う除湿機又は調湿消臭機３と、室内空気が冷却器５ｃ表面で結露することを防止するために、除湿機又は調湿消臭機３の運転条件、冷却システム５の運転条件、循環送風機２の運転条件を制御する制御手段とを備えることを特徴としている。
【００１０】
請求項１に記載の発明によれば、室内空気の循環経路中、冷却器５ｃの上流に再生可能な除湿材又は調湿消臭材３１ｄを保持した除湿機又は調湿消臭機３を設けた上で、除湿機又は調湿消臭機３の運転条件を制御することにより、冷却器５ｃを通過する空気中の水蒸気量を飽和水蒸気量より少なく維持することとした、つまり、空気の湿気をあらかじめ低くしてから冷却器５ｃに接触通過させることとしたので、冷却器５ｃ表面に結露が発生しないこととなり、カビ臭等の悪臭による不快感の解消及び人の健康の増進が適切かつ安価に達成できる。
【００１１】
また、室内空気の除湿を再生可能な除湿材又は調湿消臭材３１ｄを用いて行うので、従来の建物の冷房システムと異なり、冷却器５ｃに結露が発生するまで冷却する必要がなく、室内空気を適温に冷却するだけで良く、本来の目的を超えるエネルギーを消費せず、いったん冷却した室内空気を適温まで加熱するという無駄なエネルギーを消費しないことから、省エネルギー化の促進をも図れることとなる。
【００１２】
ここで、この建物の冷房システムには、例えば冷媒としてのフロンガス等で直接冷房する家庭用のエアコンディショナー（以下、エアコンという）や事務所用のパッケージエアコンが含まれる他、フロンガス等で水を冷やし冷水を循環させて間接的に冷房する事務所用又は工場用の冷水式エアコンも含まれる。
【００１３】
また、除湿材又は調湿消臭材３１ｄとは、本発明者らが開発した低温再生可能で高い吸湿吸臭性能を有しているものをいう（現在、特許出願中）。
【００１４】
具体的には、除湿材又は調湿消臭材３１ｄとしては、室内空気を接触通過させて吸湿又は吸湿吸臭し得るものであれば、液体、固体の別を問わないし、除湿機又は調湿消臭機３の方式や性能などは必要に応じて適宜選定して差し支えない。
【００１５】
ただし、室内空気との接触面積の増大を図ることとして、吸湿又は吸湿吸臭効率向上及び再生効率向上が得られるようにする観点からすれば、除湿材又は調湿消臭材３１ｄとしては、粉状物又は粒状物を用いることが好ましい。
【００１６】
さらに、除湿材又は調湿消臭材３１ｄの再生用熱源としては、冷却システム５又は加熱システム４から放出される廃熱を有効利用することとして、より一層省エネルギー化の促進を図るという観点からすれば、冷却システム５又は加熱システム４から放出された熱風を用いることが好ましい。
【００１７】
また、請求項２に記載の発明は、例えば図２に示すように、請求項１に記載の建物の冷房システムにおいて、室内空気の温度Ｔｘを検出する温度検出センサーと、室内空気の湿度Ｈｘを検出する湿度検出センサーと、冷却器表面の温度Ｔｉを検出する表面温度検出センサーと、室内空気の目標温度Ｔｙ及び目標温度Ｔｙにおける適正湿度Ｈｙを設定する温度設定器とを備えるとともに、制御手段による制御は、表面温度検出センサーで冷却器５ｃ表面の温度Ｔｉを検出するとともに温度検出センサーで検出した室内空気の温度Ｔｘ及び湿度検出センサーで検出した室内空気の湿度Ｈｘに基づいて室内空気の露点温度Ｔｄを求め、Ｔｉ＞Ｔｄの条件を保持しつつ、室内空気の温度Ｔｘと湿度Ｈｘとを、温度設定器の目標温度Ｔｙと目標温度Ｔｙにおける適正湿度Ｈｙとになるように、行われることを特徴としている。
【００１８】
請求項２に記載の発明によれば、温度検出センサー、湿度検出センサー、表面温度検出センサー及び温度設定器を設けた上で、制御手段による制御をこれらの各センサー等を用いて自動的に行うこととしたので、カビ臭等の悪臭による不快感の解消及び人の健康の増進がさらに適切かつ安価に達成できる。
【００１９】
さらに、請求項３に記載の発明は、請求項２に記載の建物の冷房システムにおいて、制御手段による制御は、
（ａ）Ｔｘ＞Ｔｙ，Ｈｘ＞Ｈｙのときは、冷却システム５における冷媒を圧縮するためのコンプレッサーを連続運転とし、かつ、除湿機又は調湿消臭機３及び循環送風機２を高速運転とし、
（ｂ）Ｔｘ＞Ｔｙ，Ｈｘ＜Ｈｙのときは、コンプレッサーを連続運転とし、かつ、除湿機又は調湿消臭機３を低速運転とし、かつ、循環送風機２を高速運転とし、
（ｃ）Ｔｘ＝Ｔｙ，Ｈｘ＝Ｈｙのときは、コンプレッサーを断続運転又は回転数制御とし、かつ、除湿機又は調湿消臭機３及び循環送風機２を中速運転又は断続運転とし、
（ｄ）Ｔｘ＜Ｔｙ，Ｈｘ＞Ｈｙのときは、コンプレッサーを運転停止とし、かつ、除湿機又は調湿消臭機３及び循環送風機２を高速運転とし、
（ｅ）Ｔｘ＜Ｔｙ，Ｈｘ＜Ｈｙのときは、コンプレッサーを運転停止とし、かつ、除湿機又は調湿消臭機３及び循環送風機２を低速運転又は停止とすることを特徴としている。
【００２０】
請求項３に記載の発明によれば、制御手段による制御を、Ｔｘ＞Ｔｙ，Ｈｘ＞Ｈｙの場合、Ｔｘ＞Ｔｙ，Ｈｘ＜Ｈｙの場合、Ｔｘ＝Ｔｙ，Ｈｘ＝Ｈｙの場合、Ｔｘ＜Ｔｙ，Ｈｘ＞Ｈｙの場合、Ｔｘ＜Ｔｙ，Ｈｘ＜Ｈｙの場合の各場合に応じた適切な態様で行うこととしたので、カビ臭等の悪臭による不快感の解消及び人の健康の増進がさらに一層適切かつ安価に達成できる。
【００２１】
さらにまた、請求項４に記載の発明は、請求項３に記載の建物の冷房システムにおいて、制御手段による制御は、Ｔｉ＜Ｔｄの条件では、コンプレッサーを運転停止とし、Ｔｉ＞Ｔｄの条件で、かつ、（ｃ）のときでは、コンプレッサーを断続運転又は回転数制御とすることを特徴としている。
【００２２】
請求項４に記載の発明によれば、冷却器５ｃに結露が発生する事態が未然に防止されることとなり、カビ臭等の悪臭による不快感の解消及び人の健康の増進がより確実に達成できる。
【００２３】
また、請求項５に記載の発明は、例えば図８に示すように、請求項１から請求項４のいずれか一項に記載の建物の冷房システムにおいて、除湿機又は調湿消臭機３は、除湿材又は調湿消臭材３１ｄが収容される収容室３１が周方向に沿って複数設けられた回転式容器３１ｂを備え、この回転式容器３１ｂは、それぞれの収容室３１が、吸湿又は吸湿吸臭すべき室内側と、除湿材又は調湿消臭材３１ｄの再生を行うべき再生側とに順次配置されるように回転する回転式の除湿機又は調湿消臭機３であることを特徴としている。
【００２４】
請求項５に記載の発明によれば、吸湿又は吸湿吸臭すべき室内側と除湿材又は調湿消臭材３１ｄの再生を行うべき再生側とを一つの本体内に区画して設けることとしたので、全体を小型化できるとともに、設置やメンテナンスが容易となる。
【００２５】
この場合において、再生側の空気が室内側へと漏洩することとなる事態を未然に回避しようとする観点からすれば、両領域の圧力バランスは、再生側が室内側より低圧に設定されているか、又は、両領域がほぼ同圧に設定されていることが好ましい。
【００２６】
さらにまた、請求項６に記載の発明は、例えば図１１（ａ）に示すように、請求項１から請求項４のいずれか一項に記載の建物の冷房システムにおいて、除湿材又は調湿消臭材６３として粉状物又は粒状物を用いる場合において、除湿機又は調湿消臭機５１は、吸湿又は吸湿吸臭すべき室内側と除湿材又は調湿消臭材６３の再生を行うべき再生側とを連結する連結路６５と、この連結路６５を介して除湿材又は調湿消臭材６３を室内側から再生側及び再生側から室内側に移送する移送手段６４とを備える流動式の除湿機又は調湿消臭機５１であることを特徴としている。
【００２７】
請求項６に記載の発明によれば、吸湿又は吸湿吸臭すべき室内側と除湿材又は調湿消臭材の再生を行うべき再生側とを離隔して配置できる。
【００２８】
ここで、移送手段６４は、圧縮エアーを動力としたエジェクター式であるか、又は、粉状物又は粒状物を空気輸送するポンプ式であることが好ましい。また、移送手段６４の台数は、連結路に一台とは限らない。
【００２９】
一方、請求項７に記載の発明は、例えば図２又は図３及び図１１（ａ）に示すように、請求項１から請求項６のいずれか一項に記載の建物の冷房システムと、室内空気が接触通過する加熱器４ｃを有する加熱システム４とを備えた建物の冷暖房システムであって、除湿機又は調湿消臭機３の下流に加熱器４ｃを設置し、この加熱器４ｃの下流に冷却器５ｃを設置してあることを特徴としている。
【００３０】
請求項７に記載の発明によれば、例えば図３に示すように、除湿暖房時に、加熱器４ｃで加熱した温風を冷却器５ｃに接触通過させることにより、加熱器４ｃの下流にある冷却器５ｃ表面が常に乾燥状態に維持されることとなり、これにより、カビや雑菌、ウィルス等の微生物の発生をより確実に防止できる。
【００３１】
ここで、この建物の冷暖房システムには、例えば冷媒としてのフロンガス等で直接冷暖房する家庭用のエアコンや事務所用のパッケージエアコンが含まれる他、フロンガス等で水を冷やし冷水を循環させ、又は、ボイラー等で水を暖め温水を循環させて間接的に冷暖房する事務所用又は工場用の冷温水式エアコンも含まれる。
【００３２】
また、請求項８に記載の発明は、例えば図５及び図７に示すように、請求項１から請求項６のいずれか一項に記載の建物の冷房システムと、暖房システムとを備えた建物の冷暖房システムであって、冷房システム中の冷却器１３ｄは、熱交換器によって構成されており、暖房時には、この熱交換器が暖房システムの加熱器１３ｄ’として作用することを特徴としている。
【００３３】
請求項８に記載の発明によれば、熱交換器が冷房時には冷却器１３ｄとなり、暖房時には加熱器１３ｄ’となるので、夏場は制御手段により冷却器１３ｄとしての熱交換器表面の結露が防止され、冬場は加熱器１３ｄ’としての熱交換器自体が加熱されることにより、熱交換器表面が常に乾燥状態に維持されることになり、カビや雑菌、ウィルス等の微生物の発生をより確実に防止できる。
【００３４】
【発明の実施の形態】
以下、添付図面に基づいて本発明の実施の形態を詳細に説明する。
【００３５】
尚、ここでは、事務所用又は工場用の冷温水式エアコンを除湿冷房時に用いる場合と、除湿暖房時に用いる場合と、また、家庭用のエアコン又は事務所用のパッケージエアコンを除湿冷房時に用いる場合と、除湿暖房時に用いる場合とに分けて説明する。
【００３６】
◎実施の形態１
実施の形態１は、事務所用又は工場用の冷温水式エアコンを除湿冷房時に用いる場合である。
【００３７】
まず、実施の形態１を説明する前に、従来例を説明する。
【００３８】
（１）従来例である建物の冷暖房システム（除湿冷房時）
図１は従来例である建物の冷暖房システムの全体構成を示すブロック図（除湿冷房時）である。
【００３９】
同図において、符号１０１は、ダクト、符号１０２は、循環送風機、符号１０３は、冷却システム、符号１０４は、加熱システム、を示している。
ここで、冷却システム１０３は、冷凍機１０３ａと、密閉された冷水管路１０３ｂと、冷却器１０３ｃと、冷水ポンプ１０３ｄとを含んで構成される。また、加熱システム１０４は、ボイラー１０４ａと、密閉された温水管路１０４ｂと、加熱器１０４ｃと、温水ポンプ１０４ｄとを含んで構成される。
【００４０】
同図において、室内空気は、循環送風機１０２によって、ダクト１０１内に送り込まれ、冷却器１０３ｃ、加熱器１０４ｃを通って、室内に戻される。このようにして、室内空気は循環している。
【００４１】
尚、室内空気の循環条件としては、例えば、ダンパー１０５、ダンパー１０６で調節して、室内空気９０％と外気１０％とをダクト１０１内に取り込んで１００％を室内に送り出すこととする。ここで、ダンパー１０７で調節して、室内の排気口１０８から１０％を排出させることで室内における空気の収支バランスが取られる。
【００４２】
また、冷却システム１０３が稼働しており、冷凍機１０３ａによって冷却された冷水は、冷水ポンプ１０３ｄによって、冷水管路１０３ｂ及び冷却器１０３ｃ内を通って、循環している。
【００４３】
加えて、加熱システム１０４が稼働しており、ボイラー１０４ａによって加熱された温水は、温水ポンプ１０４ｄによって、温水管路１０４ｂ及び加熱器１０４ｃ内を通って、循環している。
【００４４】
ここで、室内空気が、冷却器１０３ｃを接触通過すると、室内空気は、冷却器１０３ｃの中を流れる冷水と熱交換することにより冷却される。
【００４５】
このとき、冷却器１０３ｃ表面の温度が室内空気の露点温度以下まで降下しているため、冷却器１０３ｃ表面に結露が発生し、室内空気は除湿される。
【００４６】
そして、除湿のために過度に冷却された室内空気が、加熱器１０４ｃを接触通過すると、室内空気は、加熱器１０４ｃの中を流れる温水と熱交換することにより加熱される。
【００４７】
すなわち、ダクト１０１内に送り込まれた室内空気は、途中、冷却器１０３ｃによって冷却及び除湿され、加熱器１０４ｃによって加熱され、室内に送り出される。
従って、室内空気は、適温に調整される。
【００４８】
（２）実施の形態１に係る建物の冷暖房システム（除湿冷房時）
図２は本発明の実施の形態１に係る建物の冷暖房システムの全体構成を示すブロック図（除湿冷房時）である。
【００４９】
同図において、符号１は、ダクト、符号２は、循環送風機、符号３は、調湿消臭通路３ａを有する回転式調湿消臭機、符号４は、加熱システム、符号５は、冷却システム、を示している。
【００５０】
ここで、加熱システム４は、ボイラー４ａと、密閉された温水管路４ｂと、加熱器４ｃと、温水ポンプ４ｄとを含んで構成される。また、冷却システム５は、冷凍機５ａと、密閉された冷水管路５ｂと、冷却器５ｃと、冷水ポンプ５ｄとを含んで構成される。
ここで、回転式調湿消臭機３の下流に加熱器４ｃを設置し、加熱器４ｃの下流に冷却器５ｃを設置してある。
【００５１】
同図において、室内空気は、循環送風機２によって、ダクト１内に送り込まれ、回転式調湿消臭機３、加熱器４ｃ、冷却器５ｃを通って、室内に戻される。このようにして、室内空気は循環している。
【００５２】
尚、室内空気の循環条件としては、例えば、ダンパー７、ダンパー８で調節して、室内空気９０％と外気１０％とをダクト１内に取り込んで１００％を室内に送り出すこととする。ここで、ダンパー９で調節して、室内の排気口１０から１０％を排出させることで室内における空気の収支バランスが取られる。
また、回転式調湿消臭機３の再生通路３ｂには、再生用のファン３ｃによって、冷却システム５や加熱システム４から放出された熱風が供給され、調湿消臭材３１ｄの再生が行われる。
【００５３】
また、冷却システム５が稼働しており、冷凍機５ａによって冷却された冷水は、冷水ポンプ５ｄによって、冷水管路５ｂ及び冷却器５ｃ内を通って、循環している。
【００５４】
しかし、加熱システム４は、稼働していない。
【００５５】
ここで、室内空気が、調湿消臭通路３ａ内の調湿消臭材３１ｄに接触通過すると、調湿消臭材３１ｄによって吸湿吸臭され、室内空気は除湿消臭される。
【００５６】
そして、除湿消臭された室内空気が、停止中の加熱器４ｃを通って、冷却器５ｃを接触通過すると、室内空気は、冷却器５ｃの中を流れる冷水と熱交換することにより冷却される。
【００５７】
このとき、制御手段（図示外）によって、回転式調湿消臭機３の運転条件、冷却システム５の運転条件、循環送風機２の運転条件が制御され、冷却器５ｃの結露が防止される。
【００５８】
すなわち、ダクト１内に送り込まれた室内空気は、途中、調湿消臭通路３ａ内を通過するとき、回転式調湿消臭機３によって事前に除湿され、制御手段により結露を防止しながら冷却器５ｃによって冷却され、そのまま室内に送り出される。
従って、室内空気は、適温に調整される。
【００５９】
尚、回転式調湿消臭機３にはフィルタ（図示外）が内蔵されているため、室内空気には調湿消臭材３１ｄが混入することはない。
【００６０】
従って、この実施の形態１に係る建物の冷暖房システムによれば、冷却器５ｃ表面に結露が発生しないこととなり、カビ臭等の悪臭による不快感の解消及び人の健康の増進が適切かつ安価に達成できる。
【００６１】
また、従来例である建物の冷暖房システムと異なり、除湿のため過度に冷却する必要がなく、室内空気を冷却するという本来の目的を超えるエネルギーを消費せず、いったん冷却した室内空気を適温まで加熱するという無駄なエネルギーを消費しないことから、省エネルギー化の促進を図れることとなる。
【００６２】
◎実施の形態２
実施の形態２は、実施の形態１と同一の事務所用又は工場用の冷温水式エアコンを除湿暖房時に用いる場合である。
【００６３】
図３は本発明の実施の形態２に係る建物の冷暖房システムの全体構成を示すブロック図（除湿暖房時）である。尚、実施の形態２は、実施の形態１と同一の構成であるので、実施の形態１と同一の符号を付してここではその詳細な説明を一部省略する。
【００６４】
同図において、室内空気は、循環送風機２によって、ダクト１内に送り込まれ、回転式調湿消臭機３、加熱器４ｃ、冷却器５ｃを通って、室内に戻される。このようにして、室内空気は循環している。
【００６５】
また、加熱システム４が稼働しており、ボイラー４ａによって加熱された温水は、温水ポンプ４ｄによって、温水管路４ｂ及び加熱器４ｃ内を通って、循環している。
【００６６】
しかし、冷却システム５は、稼働していない。
【００６７】
ここで、室内空気が、調湿消臭通路３ａ内の調湿消臭材３１ｄに接触通過すると、調湿消臭材３１ｄによって吸湿吸臭され、室内空気は除湿消臭される。
【００６８】
そして、除湿消臭された室内空気が、加熱器４ｃを接触通過すると、室内空気は、加熱器４ｃの中を流れる温水と熱交換することにより加熱される。
【００６９】
すなわち、ダクト１内に送り込まれた室内空気は、途中、調湿消臭通路３ａ内を通過するとき、回転式調湿消臭機３によって事前に除湿され、加熱器４ｃによって加熱され、停止中の冷却器５ｃを通って、そのまま室内に送り出される。
従って、室内空気は、適温に調整される。
【００７０】
尚、回転式調湿消臭機３にはフィルタ（図示外）が内蔵されているため、室内空気には調湿消臭材３１ｄが混入することはない。
【００７１】
従って、この実施の形態２に係る建物の冷暖房システムによれば、加熱器４ｃで加熱した温風を停止中の冷却器５ｃに接触通過させることにより、冷却器５ｃ表面が常に乾燥状態に維持されることとなり、これにより、カビや雑菌、ウィルス等の微生物の発生をより確実に防止できる。
【００７２】
また、従来例である建物の冷暖房システムと異なり、除湿のため過度に冷却する必要がなく、室内空気を加熱するという本来の目的を超えるエネルギーを消費せず、いったん冷却した室内空気を適温まで加熱するという無駄なエネルギーを消費しないことから、省エネルギー化の促進を図れることとなる。
【００７３】
◎実施の形態３
実施の形態３は、家庭用のエアコン又は事務所用のパッケージエアコンを除湿冷房時に用いる場合である。
【００７４】
まず、実施の形態３を説明する前に、従来例を説明する。
【００７５】
（１）従来例である建物の冷暖房システム（除湿冷房時）
図４は従来例である建物の冷暖房システムの全体構成を示すブロック図（除湿冷房時）である。
【００７６】
同図において、符号１１１は、ダクト、符号１１２は、循環送風機、符号１１３は、冷却システム、を示している。
【００７７】
ここで、冷却システム１１３は、コンプレッサー１１３ａと、凝縮器１１３ｂと、膨張弁１１３ｃと、冷却器１１３ｄ，１１３ｅとを含んで構成される。
【００７８】
同図において、室内空気は、循環送風機１１２によって、ダクト１１１内に送り込まれ、冷却器１１３ｄ，１１３ｅを通って、室内に戻される。このようにして、室内空気は循環している。
【００７９】
また、冷却システム１１３が稼働しており、冷媒は、コンプレッサー１１３ａで圧縮され、高温高圧ガスとなり、凝縮器１１３ｂ内で外気に熱を与えて高圧液となり、膨張弁１１３ｃにより急激に膨張し低温の気液となり冷却器１１３ｄ，１１３ｅ内で室内空気から熱を奪って低温低圧ガスとなり、コンプレッサー１１３ａに戻される。このようにして、冷媒は、密閉された管路内で循環している。
【００８０】
ここで、室内空気が、冷却器１１３ｄ，１１３ｅを接触通過すると、室内空気は、冷却器１１３ｄ，１１３ｅの中を流れる冷媒と熱交換することにより冷却される。
【００８１】
このとき、冷却器表面の温度が室内空気の露点温度以下まで降下しているため、冷却器表面に結露が発生し、室内空気は除湿される。
【００８２】
すなわち、ダクト１１１内に送り込まれた室内空気は、途中、冷却器１１３ｄ，１１３ｅによって冷却及び除湿され、室内に送り出される。
従って、室内空気は、適温に調整される。
【００８３】
（２）実施の形態３に係る建物の冷暖房システム（除湿冷房時）
図５は本発明の実施の形態３に係る建物の冷暖房システムの全体構成を示すブロック図（除湿冷房時）である。尚、実施の形態１と同様な構成要素については実施の形態１と同様な符号を付してここではその詳細な説明を一部省略する。
【００８４】
同図において、符号１１は、ダクト、符号１２は、循環送風機、符号１３は、冷却システム、を示している。
【００８５】
ここで、冷却システム１３は、コンプレッサー１３ａと、凝縮器１３ｂと、膨張弁１３ｃと、冷却器１３ｄとを含んで構成される。
【００８６】
同図において、室内空気は、循環送風機１２によって、室内からダクト１１内に送り込まれ、調湿消臭通路３ａ、冷却器１３ｄを通って、室内に戻される。このようにして、室内空気は循環している。
また、凝縮器１３ｂから放出された熱風は、再生用のファン３ｃによって、停止中のヒーター３ｄを通って再生通路３ｂ内に供給され、調湿消臭材３１ｄの再生が行われている。
【００８７】
また、冷却システム１３が稼働しており、冷媒は、コンプレッサー１３ａで圧縮され、高温高圧ガスとなり、凝縮器１３ｂ内で外気に熱を与えて高圧液となり、膨張弁１３ｃにより急激に膨張し低温の気液となり冷却器１３ｄ内で室内空気から熱を奪って低温低圧ガスとなり、コンプレッサー１３ａに戻される。このようにして、冷媒は、密閉された管路内で循環している。
【００８８】
ここで、室内空気が、調湿消臭通路３ａ内の調湿消臭材３１ｄに接触通過すると、調湿消臭材３１ｄによって吸湿吸臭され、室内空気は除湿消臭される。
【００８９】
そして、除湿消臭された室内空気が、冷却器１３ｄを接触通過すると、室内空気は、冷却器１３ｄの中を流れる冷媒と熱交換することにより冷却される。
【００９０】
このとき、制御手段（図示外）によって、回転式調湿消臭機３の運転条件、冷却システム１３の運転条件、循環送風機１２の運転条件が制御され、冷却器１３ｄ（熱交換器）の結露が防止される。
【００９１】
すなわち、ダクト１１内に送り込まれた室内空気は、途中、調湿消臭通路３ａ内を通過するとき、回転式調湿消臭機３によって事前に除湿消臭され、制御手段により結露が防止されながら冷却器１３ｄによって冷却され、そのまま室内に送り出される。
従って、室内空気は、適温に調整される。
尚、回転式調湿消臭機３にはフィルタ（図示外）が内蔵されているため、室内空気には調湿消臭材３１ｄが混入することはない。
【００９２】
この実施の形態３に係る建物の冷暖房システムによれば、冷却器１３ｄ（熱交換器）表面に結露が発生しないこととなり、カビ臭等の悪臭による不快感の解消及び人の健康の増進が適切かつ安価に達成できる。
【００９３】
また、従来例である建物の冷暖房システムと異なり、除湿のため過度に冷却する必要がなく、室内空気を冷却するという本来の目的を超えるエネルギーを消費せず、いったん冷却した室内空気の温度を調整するという無駄なエネルギーを消費しないことから、省エネルギー化の促進を図れることとなる。
【００９４】
◎実施の形態４
実施の形態４は、家庭用のエアコン又は事務所用のパッケージエアコンを除湿暖房時に用いる場合である。
【００９５】
まず、実施の形態４を説明する前に、従来例を説明する。
【００９６】
（１）従来例である建物の冷暖房システム（除湿暖房時）
図６は従来例である建物の冷暖房システムの全体構成を示すブロック図（除湿暖房時）である。尚、実施の形態３に対する従来例と同様な構成要素については実施の形態３に対する従来例と同様な符号を付してここではその詳細な説明を一部省略する。
【００９７】
同図において、符号１１３’は、加熱システム、を示している。
【００９８】
ここで、加熱システム１１３’として一方は、コンプレッサー１１３ａと、加熱器１１３ｅ’と、膨張弁１１３ｆと、冷却器１１３ｄ’とを含み、また、他方は、コンプレッサー１１３ａと、加熱器１１３ｅ’と、膨張弁１１３ｇと、蒸発器１１３ｂ’とを含んで構成される。
【００９９】
同図において、室内空気は、循環送風機１１２によって、ダクト１１１内に送り込まれ、冷却器１１３ｄ’、加熱器１１３ｅ’を通って、室内に戻される。このようにして、室内空気は循環している。
【０１００】
また、加熱システム１１３’が稼働しており、熱媒体は、コンプレッサー１１３ａで圧縮され、高温高圧ガスとなり、加熱器１１３ｅ’内で室内空気に熱を与えて凝縮し高圧液となる。
この高圧液は、加熱器１１３ｅ’を出ると二方向に分けられ、一方は冷却器１１３ｄ’の冷媒として除湿に用いられるが、他方はそのまま膨張弁１１３ｇを流れ出る。
すなわち、一方は、膨張弁１１３ｆにより急激に膨張し低温の気液となり、冷却器１１３ｄ’内で室内空気から熱を奪って低圧ガスとなり、コンプレッサー１１３ａに戻される。
他方は、膨張弁１１３ｇにより急激に膨張し低温の気液となり蒸発器１１３ｂ’内で外気から熱を奪って低圧ガスとなり、コンプレッサー１１３ａに戻される。
このようにして、熱媒体及び冷媒は、密閉された管路内で循環している。
【０１０１】
ここで、室内空気が、冷却器１１３ｄ’を接触通過すると、室内空気は、冷却器１１３ｄ’の中を流れる冷媒と熱交換することにより冷却される。
【０１０２】
このとき、冷却器１１３ｄ’表面の温度が室内空気の露点温度以下まで降下しているため、冷却器１１３ｄ’表面に結露が発生し、室内空気は除湿される。
【０１０３】
続いて、除湿された室内空気が、加熱器１１３ｅ’を接触通過すると、室内空気は、加熱器１１３ｅ’の中を流れる熱媒体と熱交換することにより加熱される。
【０１０４】
すなわち、ダクト１１１内に送り込まれた室内空気は、途中、冷却器１１３ｄ’によって冷却し除湿され、さらに加熱器１１３ｅ’によって加熱され、室内に送り出される。
従って、室内空気は、適温に調整される。
【０１０５】
（２）実施の形態４に係る建物の冷暖房システム
図７は本発明の実施の形態４に係る建物の冷暖房システムの全体構成を示すブロック図（除湿暖房時）である。尚、実施の形態３と同様の構成要素については実施の形態３と同様な符号を付してここではその詳細な説明を一部省略する。
【０１０６】
同図において、符号１３’は、加熱システム、を示している。
【０１０７】
ここで、加熱システム１３’は、コンプレッサー１３ａと、加熱器１３ｄ’と、膨張弁１３ｃと、蒸発器１３ｂ’とを含んで構成される。
【０１０８】
同図において、室内空気は、循環送風機１２によって、室内からダクト１１に送り込まれ、回転式調湿消臭機３、加熱器１３ｄ’を通って、室内に戻される。このようにして、室内空気は循環している。
また、調湿消臭材３１ｄの再生としては、弁３ｅ及びダンパー３ｆを調節して再生用のファン３ｃによって取り込まれた外気が、ヒーター３ｄによって加熱され、再生通路３ｂ内に供給され、調湿消臭材３１ｄの再生が行われている。
尚、除湿しないで暖房するときは、ヒーター３ｄを停止又は供給熱量を調整する。
【０１０９】
また、加熱システム１３’が稼働しており、熱媒体は、コンプレッサー１３ａで圧縮され、高温高圧ガスとなり、加熱器１３ｄ’内で室内空気に熱を与えて凝縮し高圧液となり、膨張弁１３ｃにより急激に膨張し低温の気液となり、蒸発器１３ｂ’内で外気から熱を奪って低圧ガスとなり、コンプレッサー１３ａに戻される。
このようにして、熱媒体は、密閉された管路内で循環している。
【０１１０】
ここで、室内空気が、調湿消臭通路３ａ内の調湿消臭材３１ｄに接触通過すると、調湿消臭材３１ｄによって吸湿吸臭され、室内空気は除湿消臭される。
【０１１１】
そして、除湿消臭された室内空気が、加熱器１３ｄ’を接触通過すると、室内空気は、加熱器１３ｄ’の中を流れる熱媒体と熱交換することにより加熱される。
【０１１２】
すなわち、ダクト１１内に送り込まれた室内空気は、途中、調湿消臭通路３ａ内を通過するとき、回転式調湿消臭機３によって事前に除湿され、加熱器１３ｄ’によって加熱され、そのまま室内に送り出される。
従って、室内空気は、適温に調整される。
【０１１３】
尚、回転式調湿消臭機３にはフィルタ（図示外）が内蔵されているため、室内空気には調湿消臭材３１ｄが混入することはない。
【０１１４】
次に、実施の形態１〜実施の形態４に共通する構成要素について詳細に説明する。
以下、回転式調湿消臭機３、検出器（図示外）、温度設定器（図示外）、制御手段（図示外）の順に説明する。
【０１１５】
（１）回転式調湿消臭機３
回転式調湿消臭機３は、図８に示すように、調湿消臭材３１ｄが収容される収容室３１が周方向に沿って複数設けられた回転式容器３１ｂと、加えて、駆動モータ３２とを備えている。この回転式容器３１ｂは、それぞれの収容室３１が、吸湿吸臭すべき室内側と、調湿消臭材３１ｄの再生を行うべき再生側とに順次配置されるように回転する。
【０１１６】
収容室３１は、図８及び図９に示すように、円筒状の本体３１ａと、円筒状の本体３１ａ内で回転自在に設けられた回転式容器３１ｂとからなっている。回転式容器３１ｂ内には、調湿消臭材３１ｄが上下のフィルタ３１ｃを介して保持されている。円筒状の本体３１ａは、回転式容器３１ｂの上下で上部仕切板３１ｅ及び下部仕切板３１ｆにより断面半円状の調湿消臭通路３ａと再生通路３ｂとに二分割されている。回転式容器３１ｂは、中心部に回転軸３１ｇを備え、本体の上部に設置した駆動モータ３２により回転軸３１ｇを介して所定の速度で連続的に緩速回転又は所定回転角度づつ断続的に間欠回転駆動或いは無断変速回転駆動可能とされている。調湿消臭材３１ｄは、回転式容器３１ｂ内に放射状配置の仕切板３１ｈによって複数に区画された扇形室３１ｉに収容されている。
【０１１７】
ところで、調湿消臭材３１ｄとしては、熱による機能再生の可能な物質、例えば、有機物／無機物と無機塩（物理的吸着機能を有する系）、有機物／無機物と無機塩とアミン（物理的吸着機能と化学的吸着機能とを有する系）、その他、吸湿吸臭機能を有する物質が使用可能である。また、調湿消臭材３１ｄは、粉末状や多孔質粒子状等、通気性を保持し得る態様で使用される。調湿消臭材３１ｄとして、粉体を使用することによって、表面積の増大が図れ、その表面積を有効に利用して吸湿吸臭を効率よく行わせ、かつ、再生も効率よく行わせることができる。しかも、粉体として、本発明者らが新規に開発した低温再生が可能であり高い吸湿吸臭性能を有する調湿消臭材３１ｄ（現在、特許出願中）を使用すれば、建物の冷暖房システムに適用して冷房又は暖房で除湿運転時に冷却器表面での結露発生を未然に防止し、カビ臭等の悪臭の発生を防止することができる。
【０１１８】
尚、本発明者らが新規に開発した調湿消臭材３１ｄの吸湿吸臭の能力は、試料質量１．００ｋｇに対して、温度２５℃、湿度９０％の条件下で吸湿させた後の試料質量は、２．１２２ｋｇとなっており、これを、温度２５℃、湿度５５％、無風２４時間の条件下で試料質量は１．０５８ｋｇ（殆ど元の質量）まで回復する特性を備えており、熱風を用いて再生（脱湿気臭気）すると、再生時間を著しく短縮できる。また、上記調湿消臭材３１ｄは、吸臭性能及び再生性能も既存品より優れている。
【０１１９】
回転式調湿消臭機３の再生通路３ｂには、例えば図２に示すように、再生用のファン３ｃによって、冷却システム５や加熱システム４から放出された熱風が供給され、調湿消臭材３１ｄの再生が行われる。
【０１２０】
（２）検出器
検出器としては、図示しないが、温度検出センサーと、湿度検出センサーと、表面温度検出センサーとを備えている。
【０１２１】
温度検出センサーは、室内の適宜箇所に設置され、室内空気の温度Ｔｘを検出する。また、湿度検出センサーも、室内の適宜箇所に設置され、室内空気の湿度Ｈｘを検出する。さらに、表面温度検出センサーは、冷却器表面の適宜箇所に設置され、冷却器表面の温度Ｔｉを検出する。
【０１２２】
具体的には、検出器は、制御手段と電気的に接続されており、その検出信号がそれぞれ制御手段に入力されるようになっている。
【０１２３】
（３）温度設定器
温度設定器は、図示しないが、室内近傍の適宜箇所に設置され、室内空気の目標温度及び目標温度における適正湿度を設定する。
【０１２４】
（４）制御手段
制御手段は、室内空気が冷却器表面で結露することを防止するために、調湿消臭機の運転条件、冷却システムの運転条件及び循環送風機の運転条件を制御する。
【０１２５】
ここで、制御手段による制御について、例えば室内空気の温度が４０℃で、湿度が８０％で、温度設定器により目標温度２５℃に設定して冷房運転する場合を説明する。制御手段には、図１０に示すような飽和水蒸気量と温度の関係を示す曲線（以下、飽和水蒸気量曲線という）の線図データをあらかじめ入力しておく。同図において、曲線Ａは湿度１００％の空気の飽和水蒸気量曲線であり、曲線Ｂは、湿度５０％の空気の水蒸気量曲線である。
【０１２６】
同図において、室内空気の温度Ｔｘ＝４０℃、室内空気の湿度Ｈｘ＝８０％の位置Ｐ１における室内空気の露点温度Ｔｄは、Ｐ１から水平に移動して飽和水蒸気量曲線Ａと交差する点の温度になり、この温度は、同線図から約３６℃と読み取ることができる。このとき、冷却器の表面温度Ｔｉが３６℃以下であれば結露するが、冷房運転開始初期での冷却器の表面温度は、室内空気の温度にほぼ等しいとみてよいため、冷却器表面に結露を生じさせることはない。
【０１２７】
冷房運転が進むことによって、室内空気の温度Ｔｘと湿度Ｈｘが低下する。例えば室内空気の温度が３０℃で湿度が５０％になった場合、この位置を図１０中のＰ２とすると、その室内空気の露点温度Ｔｄは、Ｐ２から水平に移動して飽和水蒸気量曲線Ａと交差する点の温度になるため、約１７℃と読み取るできる。
【０１２８】
さらに、室内空気の温度が目標温度２５℃になると、室内空気の露点温度は、さらに低下する。従って、冷却器の表面温度Ｔｉがその時点の空気の温度Ｔｘと湿度Ｈｘにおける露点温度Ｔｄ以上であれば、冷却器表面での結露を防止することができる。
【０１２９】
そこで、この制御手段は、表面温度検出センサーで冷却器表面の温度Ｔｉを検出するとともに温度検出センサーで検出した室内空気の温度Ｔｘ及び湿度検出センサーで検出した室内空気の湿度Ｈｘに基づいて室内空気の露点温度Ｔｄを求め、Ｔｉ＞Ｔｄの条件を保持しつつ、室内空気の温度Ｔｘと湿度Ｈｘとを、温度設定器の目標温度Ｔｙと目標温度Ｔｙにおける適正湿度Ｈｙとになるように、調湿消臭機の運転条件、冷却システムのコンプレッサーの運転条件、循環送風機の風量を制御するようにしている。
【０１３０】
尚、上記適正湿度Ｈｙは、目標温度Ｔｙによって決まるため、制御手段内に目標温度の関数として固定的に設定しておくことが好ましい。例えばインフルエンザウィルスの生存率（％）は、表１に示すように、温度と湿度が密接に関連していることが報告されている。このようなデータに基づいて温度と適正湿度の関係を求めておき、これを制御手段内にあらかじめ設定しておけばよい。
【０１３１】
【表１】
2004184011.tif 000003
【０１３２】
次に、この制御手段による制御の具体的な態様を例として冷房運転の場合は実施の形態１で、暖房運転の場合は実施の形態２で分けて説明する。
【０１３３】
冷房運転の場合、制御手段は、冷却器の表面温度検出センサーと室内に設置されている温度検出センサーと湿度検出センサーとから送られた検出信号と、温度設定器で設定された目標温度及び目標温度における適正湿度とを比較し、
【０１３４】
（ａ）Ｔｘ＞Ｔｙ，Ｈｘ＞Ｈｙのとき、冷却システム５のコンプレッサー（図示外）を連続運転とするとともに、回転式調湿消臭機３の駆動モータ３２、再生用のファン３ｃ及び循環送風機２を高速運転とする。
（ｂ）Ｔｘ＞Ｔｙ，Ｈｘ＜Ｈｙのとき、冷却システム５のコンプレッサーを連続運転とするとともに、回転式調湿消臭機３の駆動モータ３２、再生用のファン３ｃを低速運転とし、しかも、循環送風機２を高速運転とする。
（ｃ）Ｔｘ＝Ｔｙ，Ｈｘ＝Ｈｙのとき、冷却システム５のコンプレッサーを断続運転又は回転数制御とするとともに、回転式調湿消臭機３の駆動モータ３２、再生用のファン３ｃと循環送風機２を中速運転又は断続運転とする。
（ｄ）Ｔｘ＜Ｔｙ，Ｈｘ＞Ｈｙのとき、冷却システム５のコンプレッサーを運転停止とするとともに、回転式調湿消臭機３の駆動モータ３２、再生用のファン３ｃと循環送風機２を高速運転とする。
（ｅ）Ｔｘ＜Ｔｙ，Ｈｘ＜Ｈｙのとき、冷却システム５のコンプレッサーを運転停止とするとともに、回転式調湿消臭機３の駆動モータ３２、再生用のファン３ｃと循環送風機２を低速運転又は停止とする。
【０１３５】
ここで、制御手段による制御は、Ｔｉ＜Ｔｄの条件では、コンプレッサーを運転停止とし、Ｔｉ＞Ｔｄの条件で、かつ、上記（ｃ）のときでは、コンプレッサーを断続運転又は回転数制御とする。
【０１３６】
次に、暖房運転時の場合、制御手段は、室内に設置されている温度検出センサーと湿度検出センサーとから送られた検出信号と、温度設定器で設定された目標温度及び目標温度における適正湿度とを比較し、
【０１３７】
（１）Ｔｘ＜Ｔｙ，Ｈｘ＞Ｈｙのとき、加熱器の温水流量制御弁（図示外）を全開とするとともに、循環送風機２、回転式調湿消臭機３の駆動モータ３２及び再生用のファン３ｃを高速回転とする。
（２）Ｔｘ＜Ｔｙ，Ｈｘ＜Ｈｙのとき、加熱器の温水流量制御弁を全開とするとともに、循環送風機２を高速運転とし、回転式調湿消臭機３の駆動モータ３２及び再生用のファン３ｃを低速運転又は停止とする。
（３）Ｔｘ＝Ｔｙ，Ｈｘ＝Ｈｙのとき、加熱器の温水流量制御弁を中開又は断続的開閉とするとともに、循環送風機２、回転式調湿消臭機３の駆動モータ３２及び再生用のファン３ｃを中速運転又は断続運転とする。
（４）Ｔｘ＞Ｔｙ，Ｈｘ＞Ｈｙのとき、加熱器の温水流量制御弁を全閉とするとともに、循環送風機２、回転式調湿消臭機３の駆動モータ３２及び再生用のファン３ｃを高速運転とする。
（５）Ｔｘ＞Ｔｙ，Ｈｘ＜Ｈｙのとき、加熱器の温水流量制御弁を全閉とするとともに、循環送風機２、回転式調湿消臭機３の駆動モータ３２及び再生用のファン３ｃを低速運転又は停止とする。
【０１３８】
ところで、この実施の形態１又は実施の形態２に係る建物の冷暖房システムにおいては、冷房運転時と、暖房運転時との両方において、回転式調湿消臭機３を使用することが特徴の一つである。
【０１３９】
すなわち、この回転式調湿消臭機３は、循環送風機２から送り込まれた室内空気を調湿消臭通路３ａ内で調湿消臭材３１ｄにより吸湿吸臭する。そして、吸湿吸臭した調湿消臭材３１ｄは、再生通路３ｂ内で熱風により再生される。この熱風の供給方法は、冷却システム５又は加熱システム４から放出される廃熱を再生用のファン３ｃにより回転式調湿消臭機３の再生通路３ｂに引き込ませることで行っている。この調湿消臭材３１ｄは、駆動モータ３２で回転する回転式容器３１ｂ内に保持されているので、吸湿吸臭と再生が連続して半永久的に行われる。その結果、この冷暖房システムでは、冷房運転時と暖房運転時の両方において、冷却器が常に乾燥状態に維持され、結露の発生が防止される。
【０１４０】
◎実施の形態５
図１１は本発明の実施の形態５に係る建物の冷暖房システムの部分構成を示すブロック図である。尚、実施の形態１又は実施の形態２と同様な構成要素については実施の形態１又は実施の形態２と同様な符号を付してここではその詳細な説明を一部省略する。
【０１４１】
この実施の形態５に係る建物の冷暖房システムの基本構成は、同図に示すように、実施の形態１又は実施の形態２とほぼ同様であるが、回転式調湿消臭機３に代えて、流動式調湿消臭機５１を用いている点で、実施の形態１又は実施の形態２と異なっている。
【０１４２】
すなわち、この実施の形態５における流動式調湿消臭機５１は、同図に示すように、調湿消臭通路６１ａを構成する調湿消臭側本体６１と、再生通路６２ａを構成する再生側本体６２とが離隔設置されており、空気と共に調湿消臭材６３が移送手段としての圧送ポンプ６４により連結路としての配管６５を通じて両本体間を循環するように構成されている。調湿消臭側本体６１内と再生側本体６２内にはフィルタ６６を介して調湿消臭材６３が充填保持されている。
【０１４３】
また、再生通路６２ａには、図１１（ａ）に示すように、冷却システム５又は加熱システム４からの熱源が配管を介して供給され、調湿消臭材６３の再生が行われる。
【０１４４】
ここで、再生用の熱源としては、冷房時には冷凍機５ａから放出される廃熱を利用し、暖房時にはボイラー４ａから放出される廃熱を利用する。ただし、図１１（ｂ）に示すように、熱風をファンにより直接供給するようにしてもよい。
【０１４５】
さらに、調湿消臭材６３の再生を行うことによって、調湿消臭材６３や調湿消臭材６３と同伴して流れる空気の温度が過度に高くなることが想定されることから、戻り配管６５の途中に冷却手段６９を設置して適正温度にしている。
【０１４６】
尚、移送手段としては、圧送ポンプ６４に限られるものではなく、例えば圧縮エアーを調湿消臭材（粉体）の輸送動力とする１〜複数個のエジェクター式としてもよい。
【０１４７】
この実施の形態５の構成は、以上のとおりであって、冷房運転時及び暖房運転時の動作や制御条件については、上記に例とした実施の形態１又は実施の形態２の場合と同様である。ただし、調湿消臭側本体６１における動作は、実施の形態１又は実施の形態２と若干異なるので、次にこれを説明する。
【０１４８】
図１１（ａ）では、循環送風機２で循環させている室内空気は、調湿消臭通路６１ａを通過するとき、調湿消臭材６３によって吸湿吸臭されて加熱器４ｃと冷却器５ｃを通過し室内に向けて出て行く。この空気は、フィルタ６６で濾過されるため、調湿消臭材６３が混入することはない。次に、調湿消臭側本体６１内の調湿消臭材６３は、圧送ポンプ６４により空気とともに吸い出されて再生側本体６２に向けて送り出される。そのため、循環送風機２で循環させている室内空気の一部が圧送ポンプ６４により調湿消臭材６３とともに調湿消臭側本体６１内から吸い出され、再生側本体６２に送られる。再生後は調湿消臭側本体６１に戻される。また、再生に使用され高湿度で高臭気となった熱風空気はフィルタ６６を経て排出部６７から排出される。
【０１４９】
室内空気の循環条件を例として説明する。ダンパー７とダンパー８により調節して、循環送風機２により、室内空気９０％と外気１０％とを取り込んで調湿消臭通路６１ａに送り込んだとし、そのうちの一部、例えば、８％が圧送ポンプ６４により調湿消臭材６３とともに吸い出されたとすると、残りの９２％が室内に戻る。
【０１５０】
ここで、室内の排気口１０から２％分を外気に排出させることによって室内における空気の収支バランスが取られる。一方、調湿消臭材６３の循環路側での空気の収支バランスは、圧送ポンプ６４の吸い込み側で常に上記８％分の室内空気が加わるため、これを排出部６７から排出してやればよい。上記両循環路における空気量のバランス調整は、排出部６７のダンパー６８及び排気口１０のダンパー９により行えばよい。尚、上記は空気の収支バランス上のみの説明で実際の圧送ポンプ６４の吸い込み空気循環量は上記８％よりも多い。
【０１５１】
以上のように、本発明の実施の形態１〜実施の形態５においては、建物の室内の冷房運転時及び暖房運転時のいずれにおいても冷却器表面への結露発生が防止されるため、これに起因するカビ、雑菌、ウィルス等の微生物の繁殖が防止され、室内に吹き出される冷気や暖気中にカビ臭等の悪臭が混入することが防止され、その上、除湿材又は調湿消臭材による除湿機能又は吸湿吸臭機能によって低湿度で無臭化された空気が供給できるため、快適な室内環境を提供することができる。
【０１５２】
【発明の効果】
本発明に係る建物の冷暖房システムによれば、冷却器表面の結露が防止できるので、カビ臭等の悪臭による不快感の解消及び人の健康の増進が適切かつ安価に達成でき、省エネルギー化の促進をも図れることとなる。
【図面の簡単な説明】
【図１】従来例である建物の冷暖房システムの全体構成を示すブロック図である。
【図２】本発明の実施の形態１に係る建物の冷暖房システムの全体構成を示すブロック図（除湿冷房時）である。
【図３】本発明の実施の形態２に係る建物の冷暖房システムの全体構成を示すブロック図（除湿暖房時）である。
【図４】従来例である建物の冷暖房システムの全体構成を示すブロック図（除湿冷房時）である。
【図５】本発明の実施の形態３に係る建物の冷暖房システムの全体構成を示すブロック図（除湿冷房時）である。
【図６】従来例である建物の冷暖房システムの全体構成を示すブロック図（除湿暖房時）である。
【図７】本発明の実施の形態４に係る建物の冷暖房システムの全体構成を示すブロック図（除湿暖房時）である。
【図８】本発明の実施の形態１〜実施の形態４に係る建物の冷暖房システムにおける回転式調湿消臭機を示す側面図である。
【図９】本発明の実施の形態１〜実施の形態４に係る建物の冷暖房システムにおける回転式調湿消臭機を示す平断面図である。
【図１０】空気１立方メートルたりの飽和水蒸気量及び５０％水蒸気量と温度との関係を示す図である。
【図１１】本発明の実施の形態５に係る建物の冷暖房システムの部分構成を示すブロック図である。
【符号の説明】
１  ダクト
２  循環送風機
３  回転式調湿消臭機
３ａ  調湿消臭通路
３ｂ  再生通路
３ｃ  ファン
３ｄ  ヒーター
３ｅ  弁
３ｆ  ダンパー
４  加熱システム
４ａ  ボイラー
４ｂ  温水管路
４ｃ  加熱器
４ｄ  温水ポンプ
５  冷却システム
５ａ  冷凍機
５ｂ  冷水管路
５ｃ  冷却器
５ｄ  冷水ポンプ
７  ダンパー
８  ダンパー
９  ダンパー
１０  排気口
１１  ダクト
１２  循環送風機
１３  冷却システム
１３’  加熱システム
１３ａ  コンプレッサー
１３ｂ  凝縮器
１３ｂ’  蒸発器
１３ｃ  膨張弁
１３ｄ  冷却器
１３ｄ’  加熱器
３１  収容室
３１ａ  円筒状の本体
３１ｂ  回転式容器
３１ｃ  フィルタ
３１ｄ  調湿消臭材
３１ｅ  上部仕切板
３１ｆ  下部仕切板
３１ｇ  回転軸
３１ｈ  仕切板
３１ｉ  扇形室
３２  駆動モータ
５１  流動式調湿消臭機
６１  調湿消臭側本体
６１ａ  調湿消臭通路
６２  再生側本体
６２ａ  再生通路
６３  調湿消臭材
６４  圧送ポンプ
６５  連結路
６５  配管
６６  フィルタ
６７  排出部
６８  ダンパー
６９  冷却手段
１０１  ダクト
１０２  循環送風機
１０３  冷却システム
１０３ａ  冷凍機
１０３ｂ  冷水管路
１０３ｃ  冷却器
１０３ｄ  冷水ポンプ
１０４  加熱システム
１０４ａ  ボイラー
１０４ｂ  温水管路
１０４ｃ  加熱器
１０４ｄ  温水ポンプ
１０５  ダンパー
１０６  ダンパー
１０７  ダンパー
１０８  排気口
１１１  ダクト
１１２  循環送風機
１１３  冷却システム
１１３’  加熱システム
１１３ａ  コンプレッサー
１１３ｂ  凝縮器
１１３ｂ’  蒸発器
１１３ｃ  膨張弁
１１３ｄ  冷却器
１１３ｄ’  冷却器
１１３ｅ  冷却器
１１３ｅ’  加熱器
１１３ｆ  膨張弁
１１３ｇ  膨張弁
【図１】
2004184011.tif 000004
【図２】
2004184011.tif 000005
【図３】
2004184011.tif 000006
【図４】
2004184011.tif 000007
【図５】
2004184011.tif 000008
【図６】
2004184011.tif 000009
【図７】
2004184011.tif 000010
【図８】
2004184011.tif 000011
【図９】
2004184011.tif 000012
【図１０】
2004184011.tif 000013
【図１１】
2004184011.tif 000014